【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
第１電子機器の外部端子に接続された送信端末と，第２電子機器の外部端子に接続された受信端末とからなるデータ転送システムであって：
前記送信端末は，
前記受信端末と無線通信を行う送信通信部と；
前記受信端末が正規の受信端末であることを証明する認証ＩＤの取得を，前記受信端末に要求するＩＤ取得要求部と；
前記受信端末から受信した認証ＩＤが正規な認証ＩＤであるかどうか判断するＩＤ判断部と；
前記第１電子機器の外部端子から入力されるアナログ信号をデジタル信号に変換するＡ／Ｄ変換部と；
前記認証ＩＤが正規な認証ＩＤであれば，前記デジタル信号を前記受信端末に送信する信号送信部と；
を備え，
前記受信端末は，
前記送信端末と無線通信を行う受信通信部と；
認証ＩＤを記憶したＩＣチップと；
前記送信端末からの認証ＩＤの取得要求に応じて，前記認証ＩＤを送信端末に送信するＩＤ送信部と；
前記送信端末からのデジタル信号を受信する信号受信部と；
前記デジタル信号をアナログ信号に変換し，変換されたアナログ信号を前記第２電子機器の外部端子に出力するＤ／Ａ変換部と；
を備えることを特徴とする，データ転送システム。
【請求項２】
電子機器の外部端子に有線で接続され，受信端末と無線で接続される送信端末であって：
前記受信端末と無線通信を行う送信通信部と；
前記受信端末が正規の受信端末であることを証明する認証ＩＤの取得を，前記受信端末に要求するＩＤ取得要求部と；
前記受信端末から受信した認証ＩＤが正規な認証ＩＤであるかどうか判断するＩＤ判断部と；
前記電子機器の外部端子から入力されるアナログ信号をデジタル信号に変換するＡ／Ｄ変換部と；
前記認証ＩＤが正規な認証ＩＤであれば，前記デジタル信号を前記受信端末に送信する信号送信部と；
を備えることを特徴とする，送信端末。
【請求項３】
前記信号送信部は，前記認証ＩＤを最初に受信した受信端末にのみ前記デジタル信号を送信することを特徴とする，請求項２に記載の送信端末。
【請求項４】
ペアリングスイッチをさらに備え，
前記ペアリングスイッチのオンと前記受信端末における特定の動作とが同時に行われた場合，前記信号送信部は，前記特定の動作が行われた受信端末にのみ前記デジタル信号を送信することを特徴とする，請求項２に記載の送信端末。
【請求項５】
前記受信端末の識別は，前記受信端末を識別可能な端末ＩＤで行い，
前記受信端末から受信した端末ＩＤが未登録であり，かつ，特定の条件を満たしたとき，該端末ＩＤを登録するＩＤ登録部をさらに備えることを特徴とする，請求項２に記載の送信端末。
【請求項６】
前記デジタル信号を，前記端末ＩＤが登録されている１または２以上の受信端末にのみ送信するプライベートモードと，無線通信可能な１または２以上の受信端末に送信するパブリックモードを有し，
前記プライベートモードとパブリックモードを切り替えるモード切替スイッチをさらに備えることを特徴とする，請求項５に記載の送信端末。
【請求項７】
前記信号送信部からのデジタル信号の送信が中断されている間，前記デジタル信号を一時的に保持する信号保持部をさらに備え，
前記デジタル信号の送信の再開時に，中断時点からデジタル信号を送信することを特徴とする，請求項２に記載の送信端末。
【請求項８】
電子機器の外部端子に有線で接続され，受信端末と無線で接続されるコンピュータ上で動作するプログラムであって：
前記コンピュータが，
前記受信端末と無線通信を行う送信通信部と；
前記受信端末が正規の受信端末であることを証明する認証ＩＤの取得を，前記受信端末に要求するＩＤ取得要求部と；
前記受信端末から受信した認証ＩＤが正規な認証ＩＤであるかどうか判断するＩＤ判断部と；
前記電子機器の外部端子から入力されるアナログ信号をデジタル信号に変換するＡ／Ｄ変換部と；
前記認証ＩＤが正規な認証ＩＤであれば，前記デジタル信号を前記受信端末に送信する信号送信部と；
して機能することを特徴とする，プログラム。
【請求項９】
電子機器の外部端子に有線で接続され，受信端末と無線で接続される送信端末を利用してデータを送信するデータ送信方法であって：
前記受信端末と無線通信を開始する送信通信ステップと；
前記受信端末が正規の受信端末であることを証明する認証ＩＤの取得を，前記受信端末に要求するＩＤ取得要求ステップと；
前記受信端末から受信した認証ＩＤが正規な認証ＩＤであるかどうか判断するＩＤ判断ステップと；
前記電子機器の外部端子から入力されるアナログ信号をデジタル信号に変換するＡ／Ｄ変換ステップと；
前記認証ＩＤが正規な認証ＩＤであれば，前記デジタル信号を前記受信端末に送信する信号送信ステップと；
を含むことを特徴とする，データ送信方法。
【請求項１０】
電子機器の外部端子に有線で接続され，送信端末と無線で接続される受信端末であって：
前記送信端末と無線通信を行う受信通信部と；
当該受信端末が正規の受信端末であることを証明する認証ＩＤを記憶したＩＣチップと；
前記送信端末からの認証ＩＤの取得要求に応じて，前記認証ＩＤを送信端末に送信するＩＤ送信部と；
前記送信端末からのデジタル信号を受信する信号受信部と；
前記デジタル信号をアナログ信号に変換し，変換されたアナログ信号を前記第２電子機器の外部端子に出力するＤ／Ａ変換部と；
を備えることを特徴とする受信端末。
【請求項１１】
ペアリングスイッチをさらに備え，
前記ペアリングスイッチのオンと前記送信端末における特定の動作とが同時に行われた場合，当該受信端末にのみ前記送信端末からデジタル信号が送信されることを特徴とする，請求項１０に記載の受信端末。
【請求項１２】
前記ＩＤ送信部は，受信端末を識別可能な端末ＩＤも送信することを特徴とする，請求項１０に記載の受信端末。
【請求項１３】
前記ＩＤ送信部は，当該受信端末が送信端末としても機能する場合に，その旨も送信端末に送信することを特徴とする，請求項１０に記載の受信端末。
【請求項１４】
電子機器の外部端子に有線で接続され，送信端末と無線で接続されるコンピュータ上で動作するプログラムであって：
前記コンピュータが，
前記送信端末と無線通信を行う受信通信部と；
当該受信端末が正規の受信端末であることを証明する認証ＩＤを記憶したＩＣチップと；
前記送信端末からの認証ＩＤの取得要求に応じて，前記認証ＩＤを送信端末に送信するＩＤ送信部と；
前記送信端末からのデジタル信号を受信する信号受信部と；
前記デジタル信号をアナログ信号に変換し，変換されたアナログ信号を前記第２電子機器の外部端子に出力するＤ／Ａ変換部と；
して機能することを特徴とする，プログラム。
【請求項１５】
電子機器の外部端子に有線で接続され，送信端末と無線で接続される受信端末を利用してデータを受信するデータ受信方法であって：
前記送信端末と無線通信を開始する受信通信ステップと；
前記送信端末からの，当該受信端末が正規の受信端末であることを証明する認証ＩＤの取得要求に応じて，前記認証ＩＤを送信端末に送信するＩＤ送信ステップと；
前記送信端末からのデジタル信号を受信する信号受信ステップと；
前記デジタル信号をアナログ信号に変換し，変換されたアナログ信号を前記第２電子機器の外部端子に出力するＤ／Ａ変換ステップと；
を含むことを特徴とする，データ受信方法。